(57)【要約】【課題】本発明は、従来のケーブルグランドを用いることなく、ケーブルの密封固定を確実に行うことである。【解決手段】本発明によるレゾルバケーブルの固定構造は、ケーブル引出し口(8)の引出し口外周(11)及び前記ケーブル(3)のケーブル外周(3a)を覆うように設けられた熱収縮チューブ(12)と、前記熱収縮チューブ(12)の径大部(12a)と前記引出し口外周(11)とを密合させるためのインシュロックタイ(13)とを有し、前記レゾルバ収容筐体(2)内の前記リード線(9)は封止剤(22)により固定され、前記熱収縮チューブ(12)と前記ケーブル(3)との間には前記封止剤(22)が充填されている構成である。【選択図】図１
2015139273.tif 000002
【特許請求の範囲】
【請求項１】
輪状ステータ(5)及びステータ巻線(4)を有するレゾルバ(7)を内設したレゾルバ収容筐体(2)と、前記レゾルバ収容筐体(2)のケーブル引出し口(8)に設けられたケーブル(3)と、前記ケーブル(3)内に設けられ前記レゾルバ(7)のピン(10)に接続された複数のリード線(9)と、よりなるレゾルバケーブルの固定構造において、
前記ケーブル引出し口(8)の引出し口外周(11)及び前記ケーブル(3)のケーブル外周(3a)を覆うように設けられた熱収縮チューブ(12)と、前記熱収縮チューブ(12)の径大部(12a)と前記引出し口外周(11)とを密合させるためのインシュロックタイ(13)とを有し、前記レゾルバ収容筐体(2)内の前記リード線(9)は封止剤(22)により固定され、前記熱収縮チューブ(12)と前記ケーブル(3)との間には前記封止剤(22)が充填されていることを特徴とするレゾルバケーブルの固定構造。
【請求項２】
前記熱収縮チューブ(12)は、断面形状で漏斗状をなしていることを特徴とする請求項１記載のレゾルバケーブルの固定構造。
【発明の詳細な説明】
【技術分野】
【０００１】
本発明は、レゾルバケーブルの固定構造に関し、特に、熱収縮チューブとインシュロックタイによって、ケーブルとケーブル引出し口とを結合することにより、簡単で耐久性の高い固定構造を得るための新規な改良に関する。
【背景技術】
【０００２】
従来、用いられていたこの種のレゾルバケーブルの固定構造としては、例えば、特許文献１に示されるレゾルバ及びモータの構成においては、その図６から図８で示されるように、突設部を貫通させてリード線を外部に導出させている。
また、前述の特許文献１の構成よりも他の従来構成としては、図２に示すケーブルグランド１を用いた構成が広く一般に採用されている。
すなわち、図２において符号２で示されるものは、レゾルバとモータを組合わせたモータレゾルバを内蔵したレゾルバ収容筐体であり、このレゾルバ収容筐体２内のリード線に接続されたケーブル３は周知のケーブルグランドによって外部に導出されている。
【先行技術文献】
【特許文献】
【０００３】
【特許文献１】特許第５１０３８４５号公報
【発明の概要】
【発明が解決しようとする課題】
【０００４】
従来レゾルバケーブルの固定構造は、以上のように構成されていたため、次のような課題が存在していた。
すなわち、前述の特許文献１の構成における突設部内をリード線が貫通する構造の場合、この突設部の経時変化により変化してリード線との間に隙間が発生し、外部からの塵等が筐体内に侵入する可能性があった。
また、ケーブルグランドによる締め付け固定では、レゾルバを収容する筐体にメスネジを機械加工する必要があり、部品点数が増え、コスト高を招く問題があった。また、ケーブルグランドを用いた構造では、ケーブルグランドの寸法に制約を受けるため、ケーブル配索の自由度が制限されてしまう。
また、レゾルバを収容する筐体のケーブル配索口近傍は、例えばシリコンポッティング等の液状封止剤を用いて、封止加工されるのが一般的である。ケーブルより大き目のＵ溝や貫通穴にすきまを持たせながら配索する方法の場合、製品組立中に隙間から液状封止剤が流れ出る、または封止剤がケーブル配索口にて不均一になるなどの問題があった。
【０００５】
本発明は、以上のような課題を解決するためになされたもので、特に、熱収縮チューブとインシュロックタイによって、ケーブルとケーブル引出し口とを結合することにより、簡単で耐久性の高いレゾルバケーブルの固定構造を得ることを目的とする。
【課題を解決するための手段】
【０００６】
本発明によるレゾルバケーブルの固定構造は、輪状ステータ及びステータ巻線を有するレゾルバを内設したレゾルバ収容筐体と、前記レゾルバ収容筐体のケーブル引出し口に設けられたケーブルと、前記ケーブル内に設けられ前記レゾルバのピンに接続された複数のリード線と、よりなるレゾルバケーブルの固定構造において、前記ケーブル引出し口の引出し口外周及び前記ケーブルのケーブル外周を覆うように設けられた熱収縮チューブと、前記熱収縮チューブの径大部と前記引出し口外周とを密合させるためのインシュロックタイとを有し、前記レゾルバ収容筐体内の前記リード線は封止剤により固定され、前記熱収縮チューブと前記ケーブルとの間には前記封止剤が充填されている構成であり、また、前記熱収縮チューブは、断面形状で漏斗状をなしている構成である。
【発明の効果】
【０００７】
本発明によるレゾルバケーブルの固定構造は、以上のように構成されているため、次のような効果を得ることができる。
すなわち、輪状ステータ及びステータ巻線を有するレゾルバを内設したレゾルバ収容筐体と、前記レゾルバ収容筐体のケーブル引出し口に設けられたケーブルと、前記ケーブル内に設けられ前記レゾルバのピンに接続された複数のリード線と、よりなるレゾルバケーブルの固定構造において、前記ケーブル引出し口の引出し口外周及び前記ケーブルのケーブル外周を覆うように設けられた熱収縮チューブと、前記熱収縮チューブの径大部と前記引出し口外周とを密合させるためのインシュロックタイとを有し、前記レゾルバ収容筐体内の前記リード線は封止剤により固定され、前記熱収縮チューブと前記ケーブルとの間には前記封止剤が充填されていることにより、前述の突設部やケーブルグランドを用いる必要がなく、熱収縮チューブとインシュロックタイだけでケーブルを固定することができ、組立中でも溶融状の封止剤の外部への流出を防止することができ、密閉状のケーブル引出し及び固定を行うことができる。
また、前記熱収縮チューブは、断面形状で漏斗状をなしていることにより、ケーブルと熱収縮チューブとの間を密閉状に維持することができる。
【図面の簡単な説明】
【０００８】
【図１】本発明によるレゾルバケーブルの固定構造を示す断面図である。
【図２】従来のレゾルバケーブルの固定構造の正面図である。
【発明を実施するための形態】
【０００９】
本発明は、熱収縮チューブとインシュロックタイによって、ケーブルとケーブル引出し口とを結合することにより、簡単で耐久性の高い固定構造を得ることである。
【実施例】
【００１０】
以下、図面と共に本発明によるレゾルバケーブルの固定構造の好適な実施の形態について説明する。
尚、従来例と同一又は同等部分には、同一符号を用いて説明する。
図１において符号２で示されるものは、一側が開口された開口側２Ａを有するレゾルバ収容筐体であり、このレゾルバ収容筐体２内には、ステータ巻線４を有する輪状ステータ５及びロータ６とからなるレゾルバ７が設けられている。
【００１１】
前記レゾルバ収容筐体２の下部にはケーブル引出し口８が設けられていると共に、このケーブル引出し口８の内孔８ａ内には、ケーブル３が貫通して設けられ、このケーブル３内のリード線９は、前記レゾルバ７のピン１０に接続されている。
【００１２】
前記ケーブル引出し口８の引出し口外周１１には熱収縮チューブ１２が設けられており、図１の状態では、すでに熱が印加されて熱収縮した後の熱収縮チューブ１２が断面で示されている。
前記熱収縮チューブ１２の径大部１２ａの前記引出し口外周１１に対応する位置には、この径大部１２ａの外周に周知のインシュロックタイ１３が設けられ、前記径大部１２ａがケーブル引出し口８の引出し口外周１１に強固に密合して接続されている。
【００１３】
前記熱収縮チューブ１２の径小部１２ｂは、前記ケーブル３の外周３ａに対して密合する状態で接続されている。
前記レゾルバ収容筐体２の第１内部空隙２０と前記熱収縮チューブ１２の内側の第２内部空隙２１との間は前記内孔８ａによって互いに連通しており、前記第１内部空隙２０内に供給された溶融樹脂又はポッティング剤等からなる封止剤２２は、前記第１内部空隙２０から内孔８ａを経て第２内部空隙２１内に充填される。
【００１４】
前記第２内部空隙２１内に充填された前記封止剤２２は、最初は前記第２内部空隙２１内で満杯となると前記内孔８ａ内を上方に上昇し、この内孔８ａ内が満杯となると第１内部空隙２０内に充満され、封止剤２２の充填完了となる。
【００１５】
尚、前述の本発明のレゾルバケーブルの固定構造の要旨とするところは、次の通りである。
すなわち、輪状ステータ５及びステータ巻線４を有するレゾルバ７を内設したレゾルバ収容筐体２と、前記レゾルバ収容筐体２のケーブル引出し口８に設けられたケーブル３と、前記ケーブル３内に設けられ前記レゾルバ７のピン１０に接続された複数のリード線９と、よりなるレゾルバケーブルの固定構造において、前記ケーブル引出し口８の引出し口外周１１及び前記ケーブル３のケーブル外周３ａを覆うように設けられた熱収縮チューブ１２と、前記熱収縮チューブ１２の径大部１２ａと前記引出し口外周１１とを密合させるためのインシュロックタイ１３とを有し、前記レゾルバ収容筐体２内の前記リード線９は封止剤２２により固定され、前記熱収縮チューブ１２と前記ケーブル３との間には前記封止剤２２が充填されていることを特徴とするレゾルバケーブルの固定構造であり、また、前記熱収縮チューブ１２は、断面形状で漏斗状をなしていることを特徴とする請求項１記載のレゾルバケーブルの固定構造である。
【産業上の利用可能性】
【００１６】
本発明によるレゾルバケーブルの固定構造は、ケーブルグランドを用いることなく、熱収縮チューブとインシュロックタイによってケーブルの密封引出しができるため、レゾルバに限ることなく、あらゆる電子機器のケーブル引出しに適用できる。
【符号の説明】
【００１７】
２    レゾルバ収容筐体
２Ａ    開口側
３    ケーブル
３ａ    ケーブル外周
４    ステータ巻線
５    輪状ステータ
６    ロータ
７    レゾルバ
８    ケーブル引出し口
８ａ    内孔
９    リード線
１０    ピン
１１    引出し口外周
１２    熱収縮チューブ
１２ａ    径大部
１２ｂ    径小部
１３    インシュロックタイ
２０    第１内部空隙
２１    第２内部空隙
２２    封止剤
【図１】
2015139273.tif 000003
【図２】
2015139273.tif 000004